(57)【特許請求の範囲】
【請求項１】
複数列複数行に整列している雄信号端子と、該雄信号端子の隣り合う行の間に位置して、一の列の雄信号端子と別の列の雄信号端子とに亘って存在する大きさであり、列方向において該一の列の雄信号端子と別の列の雄信号端子の各々と対面している雄導体とを有するプラグコネクタに接続されるジャックコネクタであって、
絶縁材料製のジャックハウジングと、
該ジャックハウジングに、複数列複数行に整列して固定してあり、上記プラグコネクタの雄信号端子に行の方向から接触する雌信号端子と、
グランド用リード端部を有し、上記雌信号端子が形成する隣り合う行の間に位置して上記ジャックハウジングに固定してあり、上記プラグコネクタの雄導体に行の方向から接触する雌導体端子とよりなる構成としたことを特徴とするジャックコネクタ。
【請求項２】
請求項１記載のジャックコネクタにおいて、
前記プラグコネクタの前記雄信号端子はピン状であり、前記雄導体は板状であり、
前記雌信号端子は、前記プラグコネクタのピン状の雄信号端子の側面のうち行の方向と直交する側の面と接触し、
前記雌導体端子は、前記プラグコネクタの板状の雄導体の行の方向と直交する側の面であって、該板状の雄導体の板面と直交する側面と接触する構成としたことを特徴とするジャックコネクタ。
【発明の詳細な説明】
【０００１】
【発明の属する技術分野】
本発明はインピーダンス整合型電気コネクタを構成するジャックコネクタに係り、特にコンピュータ装置において、ＣＰＵが実装されたＣＰＵボードをマザーボードに接続する個所に適用しうるインピーダンス整合型電気コネクタを構成するジャックコネクタに関する。
【０００２】
コンピュータ装置にあっては、オプションとしてのＣＰＵボードが複数用意してあり、所望のＣＰＵボードをマザーボードに電気コネクタを介して接続することにより、機能の向上等を自由に図ることが出来るようにしてある。
【０００３】
上記電気コネクタは、マザーボードのインピーダンス特性（一般には５０Ωである）と整合したインピーダンス特性を有する構成であることが必要とされる。電気コネクタの個所で、信号の反射等が起きないようにするためである。
【０００４】
こゝで、インピーダンスの整合のためには、電気コネクタを、マイクロストリップライン構造又はストリップライン構造とする必要がある。マザーボード及びＣＰＵボードとのインピーダンス整合をマイクロストリップライン構造によりとろうとすると、インピーダンスが不安定となったり、クロストークが高くなる問題がある。従って、インピーダンスの整合のためには、ストリップライン構造を得る必要がある。
【０００５】
また、コンピュータ装置が処理する信号の種類の増大に伴って、上記電気コネクタは端子の数が３００程度と多ピン化の傾向がある。
【０００６】
一方、電気コネクタは、マザーボード上の実装スペースを小さくするためにサイズが小さいこと、及びコストが安価であることが望まれている。
【０００７】
【従来の技術】
図１１は、特願平３−１０７４３７号に示されるインピーダンス整合型電気コネクタ１０を示す。
【０００８】
電気コネクタ１０は、プラグコネクタ部材１１と、これが係合するジャックコネクタ部材１２とよりなる。ジャックコネクタ部材１２はマザーボード１８上に、プラグコネクタ部材１１はＣＰＵボード１９上に固定してある。
【０００９】
プラグコネクタ部材１１は、図１２及び図１４に併せて示すように、合成樹脂製の本体１３と、本体１３に固定された第１列の雄信号端子群１４と、本体１３に固定された第２列の雄信号端子群１５と、本体１３に固定されて、第１列の雄信号端子群１４と第２列の雄信号端子群１５との間に位置する雄グランド端子板１６と、本体１３を囲んでいる金属製のグランド用シェル１７とを有する構成である。
【００１０】
ジャックコネクタ部材１２は、図１３及び図１４に併せて示すように、合成樹脂製の本体２０に、第１列の雌信号端子群２１、雌グランド端子群２２、及び第２列の雌信号端子群２３が組込まれた構成である。
【００１１】
プラグコネクタ部材１１は、図１１に示すように、グランド用シェル１７が本体２０の周囲と係合し、第１列の雄信号端子群１４が第１列の雌信号端子群２１と係合し、第２列の雄信号端子群１５が第２列の雌信号端子群２２に係合し、雄グランド端子板１６が雌グランド端子群２２に係合して、ジャックコネクタ部材１２と電気的に接続される。
【００１２】
図１４に併せて示すように、第１列の雄信号端子群１４及び第１列の雌信号端子群２１と、雄グランド端子板１６（雌グランド端子群２２）と、グランド用シェル１７の一方の側壁１７ａがストリップライン構造を形成する。
【００１３】
同様に、第２列の雄信号端子群１５及び第２列の雌信号端子群２３と、雄グランド端子板１６（雌グランド端子群２２）と、グランド用シェル１７の反対側の側壁１７ｂとがストリップライン構造を形成する。
【００１４】
これにより、電気コネクタ１０はインピーダンスが５０Ωとされて、マザーボード及びＣＰＵボードとインピーダンス整合がとられている。
【００１５】
【発明が解決しようとする課題】
上記の二列構造を踏襲して、多ピン化に対応しようとすると、電気コネクタは長さ方向に延び、細幅で長さが相当に長い形状となって、機械強度的に弱くなってしまう。
【００１６】
そこで、図１５に示すように列と列との間に雄グランド端子板（雌グランド端子群）を配しつつ、雄信号端子群の列の数を増やして、４列とする構成が考えられる。
【００１７】
この場合は、雄グランド端子板（雌グランド端子群）１６，１６−１，１６−２が、第１列の信号端子群１４と第２列の信号端子群１５との間に加えて、第２列の信号端子群１５と第３列の信号端子群３０との間、及び第３列の信号端子群３０と第４列の信号端子群３１との間にも配されることになる。
【００１８】
このため、隣り合う列の間のピッチＰ１が約２．６ｍｍと広くなってプラグコネクタ部材の幅寸法Ｗ１が予想以上に大きくなってしまい、小型化が図れない。
【００１９】
また、グランド用シェル１７は金属製であり、コストは高い。
【００２０】
そこで、本発明は、上記課題を解決したジャックコネクタを提供することを目的とする。
【００２１】
【課題を解決するための手段】
図１に示すように、本発明のインピーダンス整合型電気コネクタ４０は、プラグコネクタ部材４１と、これに係合するジャックコネクタ部材４２とよりなる。
【００２２】
プラグコネクタ部材４１は、絶縁材料製のプラグハウジング４３と、プラグハウジング４３に、複数列多数行に整列して固定された多数の雄信号端子４４と板状の雄導体６０〜６４よりなる。
【００２３】
図１中、Ｘ方向の並びが一の列を構成する。
【００２４】
こゝで、Ｙ方向に並びを一の行と定義する。
【００２５】
列の数は４であり、行の数は便宜上５である。
【００２６】
多数の雄信号端子４４は、第１列の雄信号端子群４５と、第２列の雄信号端子群４６と、第３列の雄信号端子群４７と、第４列の雄信号端子群４８とよりなる。
【００２７】
同じく、多数の雄信号端子４４は、第１行の雄信号端子群５０と、第２行の雄信号端子群５１と、第３行の雄信号端子群５２と、第４行の雄信号端子群５３と、第５行の雄信号端子群５４等よりなる。
【００２８】
例えば、第２行の雄信号端子群５１は、４つの雄信号端子５１−１〜５１−４よりなる。添字は列の番号を表わす。
【００２９】
雄導体６０〜６４は、グランド用リード端部（図示せず）を有し、各行の雄信号端子群を仕切るように、隣り合う行の間に位置している。
【００３０】
雄導体６１は、第１の行の雄信号端子群５０と第２行の雄信号端子群５１との間に位置している。
【００３１】
雄導体６２は、第２行の雄信号端子群５１と、第３行の雄信号端子群５２との間に位置している。
【００３２】
雄導体６０〜６４は、列方向において、雄信号端子４４と対面している。
【００３３】
ジャックコネクタ部材４２は、絶縁材料製のジャックハウジング７０と、このジャックハウジング７０に固定された雌信号端子７１及び雌導体端子７２とよりなる。
【００３４】
雌信号端子７１は、上記の雄信号端子４４に対応する配置で配されている。
【００３５】
雌導体端子７２は、上記の雄導体６０〜６４に対応する配置で配されている。
プラグコネクタ部材４１は、雄信号端子４４が雌信号端子７１に係合し、且つ雄導体６２が雌導体端子７２に係合した状態でジャックコネクタ部材４２と係合される。
【００３６】
第２行を構成する雄信号端子５１−１〜５１−４及びこれと係合している雌信号端子７１についてみる。
【００３７】
各雄信号端子５１−１〜５１−４及び雌信号端子７１は、一方の側で雄導体６１に対向しており、他方の側で別の雄導体６２に対向しており、ストリップ構造を構成する。
【００３８】
他の行の雄信号端子も同じく、ストリップ構造を構成する。
【００３９】
隣り合う列の間には、介在物は無い。よって、各列の間のピッチＰ２は約１．２７ｍｍとなり、図１４の列間ピッチＰ１の約半分となり、コネクタ４０の幅寸法Ｗ２は小さい。
【００４０】
【発明の実施の形態】
図２は、本発明の一実施例になるジャックコネクタ部材を有するインピーダンス整合型電気コネクタを示す。
【００４１】
インピーダンス整合型電気コネクタ１００は、図３及び図４に併せて示すように、ＣＰＵボード１０１上に固定されたプラグコネクタ部材１０２と、マザーボード１０３上に固定されたジャックコネクタ部材１０４とよりなる。
【００４２】
まず、プラグコネクタ部材１０２について説明する。
【００４３】
プラグコネクタ部材１０２は、電気絶縁性を有する合成樹脂製の成形品であるプラグハウジング１０５を有する。
【００４４】
プラグハウジング１０５は、ベース部１０５ａと、周側壁１０５ｂ−１，１０５ｂ−２とを有する。
【００４５】
周側壁１０５ｂ−１，１０５ｂ−２により囲まれた部分が凹部１０５ｃとなっている。
【００４６】
ベース部１０５ａには、多数の貫通孔１０５ｄ及びスリット１０５ｅが設けてある。
【００４７】
周側壁１０５ｂの内壁面には、多数の溝１０５ｆが形成してある。
【００４８】
雄信号端子１０６は、断面が正方形であるピン状を有し、貫通孔１０５ｄに圧入されて固定してあり、凹部１０５ｃ内に突出している。
【００４９】
図５中、Ｘ方向（プラグコネクタ部材１０４の長手方向）の並びを「列」といい、Ｙ方向（プラグコネクタ部材１０４の幅方向）の並びを「行」というものとする。
【００５０】
雄信号端子１０６は、全体で２８０個有り、夫々７０個が並んだ第１、第２、第３、第４の列１０７，１０８，１０９，１１０よりなる。
【００５１】
また、行についてみると、雄信号端子１０６は、４個ずつ並んだ第１の行１１１、第２の行１１２、第３の行１１３、…第７０の行から成り立っている。
【００５２】
また、各雄信号端子１０６は、下端に信号用リード端部１０６ｂを有する。
【００５３】
第１列１０７及び第２列１０８の雄信号端子１０６の信号用リード端部１０６ｂは、周側壁１０５ｂ−１側に導き出されている。
【００５４】
第３列１０９及び第４列１１０の雄信号端子１０６の信号用リード端部１０６ｂは、周側壁１０５ｂ−２側に導き出されている。
【００５５】
図６に示す板状の雄導体１１４が、スリット１０５ｅに圧入されて固定してある。
【００５６】
雄導体１１４は、本体部１１４ａと、本体部１１４ａより上方に張り出して並んでいる二つの板部１１４ｂ，１１４ｃと、本体部１１４ａの両端より互いに逆方向に折り曲げられている細長の耳部１１４ｄ，１１４ｅと、本体部１１４ａの下側より延出したグランド用リード端部１１４ｆ，１１４ｇとを有する。
【００５７】
図２及び図５に示すように、板部１１４ｂ，１１４ｃは、凹部１０５ｃ内であって且つ隣り合う行の間に突き出している。板部１１４ｂは、「列」の方向において、第１、第２の列１０７，１０８の雄信号端子１０６のうちプラグハウジング１０５の凹部１０５ｃ内に突出している部分と対面している。板部１１４ｃは、「列」の方向において、第３、第４の列１０９，１１０の雄信号端子１０６のうちプラグハウジング１０５の凹部１０５ｃ内に突出している部分と対面している。耳部１１４ｄ，１１４ｆは、夫々溝１０５ｆ−１，１０５ｆ−２内に嵌合している。
【００５８】
雄導体１１４は上方からみると、Ｚ字状になっているため、図６中、左右の逆の向きとした場合でも、スリット１０５ｅ内に圧入され、且つ、圧入も傾斜せずに安定に行われる。
【００５９】
耳部１１４ｄ，１１４ｆは、溝１０５ｆ−１，１０５ｆ−２内に嵌合して位置規制されており、且つ周囲壁１０５ｂ−１，１０５ｂ−２内に埋没しており、凹部１０５ｃ内には突出していない。
【００６０】
グランド用リード端部１１４ｆ，１１４ｇは、夫々二つ並んだ信号用リード端部１０６ｂの間に位置して、信号用リード端部１０６ｂと共に並んでいる。
【００６１】
また、図３及び図４から分かるように、板部１１４ｂ，１１４ｃの上端は、雄信号端子１０６の上端より高い位置にある。
【００６２】
上記構成のプラグコネクタ部材１０２は、信号用リード端部１０６ｂをＣＰＵボード１０１上の信号用パッド（図示せず）に半田付けされ、グランド用リード端部１１４ｆ，１１４ｇをＣＰＵボード１０１上のグランド用パッド（図示せず）に半田付けされて、ＣＰＵボード１０１上に固定してある。
【００６３】
次に、ジャックコネクタ部材１０４について説明する。
【００６４】
図２に示すように、ジャックコネクタ部材１０４は、電気絶縁性を有する合成樹脂製の成形品であるジャックハウジング１２０を有する。
【００６５】
ジャックハウジング１２０は、上記凹部１０５ｃに対応するサイズの嵌合部１２０ａを有する。
【００６６】
この嵌合部１２０ａには、図３に併せて示す孔行１２０ｂと、図４に併せて示すスリット１２０ｃとが、長手方向上交互に並んで形成してある。
【００６７】
図３に示すように、孔行１２０ｂは、４つの孔１２０ｄ，１２０ｅ，１２０ｆ，１２０ｇよりなる。
【００６８】
各孔１２０ｄ〜１２０ｇには、夫々フォーク状の雌信号端子１２１，１２２，１２３，１２４が圧入されて固定してある。
【００６９】
各雌信号端子１２１，１２２，１２３，１２４のフォークの並び方向は、Ｙ方向（行の延在する方向）である。
【００７０】
図４に示すように、スリット１２０ｃ内には、フォーク状の雌導体端子１２５が圧入して固定してある。
【００７１】
雌導体端子１２５は、上記二つの板部１１４ｂ，１１４ｃに対応して、二つのフォーク状端子部１２５ａ，１２５ｂを有する。
【００７２】
フォーク状端子部１２５ａ，１２５ｂのフォークの並び方向は、Ｙ方向（行の延在する方向）である。
【００７３】
上記の雌信号端子１２１〜１２４及び雌導体端子１２５は、共にプレスによる打抜きによって製造されるものであり、板材を折り曲げて形成したものに比べて安価であると共に、薄い。
【００７４】
また、雌信号端子１２１〜１２４及び雌導体端子１２５は、共に、フォークの並びの方向をＹ方向とされた向きとされているため、雌信号端子１２１（１２２〜１２４）と雌導体端子１２５とは、大略、二枚の板が重なった状態にあり、両者の間の間隔Ｐ３は、相当に狭くなっている。
【００７５】
ジャックコネクタ部材１０４は、雌信号端子１２１〜１２４が延出している信号用リード端部１２１ａ〜１２４ａをマザーボード１０３上の信号用パッド（図示せず）に半田付けされ、雌導体端子１２５から延出しているグランド用リード端部１２５ｃをマザーボード１０３上のグランド用パッド（図示せず）に半田付けされて、マサーボード１０３上に固定してある。
【００７６】
次に、プラグコネクタ部材１０２をジャックコネクタ部材１０４に嵌合した状態、即ちＣＰＵボード１０３をマザーボード１０１に接続した状態について説明する。
【００７７】
プラグコネクタ部材１０２は、図３及び図４中、矢印１２８で示すように左方向に移動されて、ジャックコネク部材１０４と接続される。
【００７８】
図７、図８及び図９に示すように、凹部１０５ｃが嵌合部１２０ａの周囲に嵌合し、雄信号端子１０６が孔１２０ｄ〜１２０ｇ内に嵌入し、更には板部１１４ｂ，１１４ｃがスリット１２０ｃに案内されてスリット１２０ｃ内に嵌入する。
このとき、フォーク状の雌信号端子１２１，１２２，１２３，１２４が雄信号端子１０６を相対的に挟み込み、雌導体端子１２５の一のフォーク状端子部１２５ａが一の板部１１４ｂを相対的に挟み込み、別のフォーク状端子部１２５ａが別の板部１１４ｃを相対的に挟み込む。
【００７９】
これにより、プラグコネクタ部材１０２がジャックコネクタ部材１０４と接続される。
【００８０】
雄信号端子１０６が雌信号端子１２１，１２２，１２３，１２４と接続されて、信号ラインが接続される。また雄導体１１４が雌導体端子１２５と接続されて、板部１１４ｂ，１１４ｃの電位がグランドレベルとされる。
【００８１】
こゝで、図７，図９及び図１０に示すように、雌信号端子１２１，１２２，１２３，１２４は、一の行を構成する雄信号端子１０６−１，１０６−２，１０６−３，１０６−４を、Ｙ方向から挟み込む。
【００８２】
また、図８，図９及び図１０に示すように、雌導体端子１２５のフォーク状端子部１２５ａ，１２５ｂも、板部１１４ｂ，１１４ｃをＹ方向から挟み込む。
【００８３】
次に、上記電気コネクタ１００の寸法について説明する。
【００８４】
▲１▼幅方向（Ｙ方向）（図２，図３，図４，図５）
（ｉ）プラグコネクタ部材１０２
雄端子１０６の各列１０７〜１１０の間には、何物も存在していず、雄信号端子１０６の列間ピッチは比較的自由につめられる。
【００８５】
（ｉｉ）ジャックコネクタ部材１０５
雌信号端子１２１〜１２４は、夫々独立した孔１２０ｄ〜１２０ｇに入っており、且つ、フォーク部の変形する方向はＹ方向である。
【００８６】
（ｉｉｉ）結論
このため、雄信号端子１０６の列間ピッチＰ４は、ジャックコネクタ部材１０５により決定される。
【００８７】
雌信号端子１２１〜１２４の間にあるのは仕切り壁１２０ｈだけであり、雌信号端子１２１〜１２４の間の寸法は十分に小としうる。
【００８８】
これにより、雄信号端子１０６の列間ピッチＰ４は１．２７ｍｍと小さい。
【００８９】
このため、４列としてあるけれども、プラグコネクタ部材１０２の幅寸法Ｗ４は１２．７ｍｍと小さい。
【００９０】
▲２▼長さ方向（Ｘ方向）（図２，図５）
（ｉ）プラグコネクタ部材１０２
雄信号端子１０６の各行１１１，１１２等の間には、雄導体１１４が配設してある。
【００９１】
しかし、雄導体１１４は板状体であるため、雄信号端子１０６の行間ピッチも比較的自由につめられる。
【００９２】
（ｉｉ）ジャックコネクタ部材１０５
雌信号端子１２１（〜１２４）と雌導体端子１２５とが交互に並んでいる。
【００９３】
雌信号端子１２１及び雌信号端子１２５は、共にフォーク状をなすものであり、上記端子１２１，１２５は、共に厚さ方向に揃えられている。
【００９４】
このため、端子１２１と端子１２５との間の間隔Ｐ３は１．２７ｍｍと小さい。
【００９５】
（ｉｉｉ）結論
このため、雄信号端子１０６の行間ピッチＰ５は１．２７ｍｍと小さい。
【００９６】
このため、７０行を並べた構成でも、プラグコネクタ部材１０２の長さＬは、１６５ｍｍと比較的短い。
【００９７】
従って電気コネクタ１００は、端子の数が２８０個と従来のものに比べて相当に多いにも拘らず、Ｗ２×Ｌが１２．７×１６５ｍｍと小型である。
【００９８】
次に、図１０を参照して、一の行の雄信号端子１０６−１〜１０６−４及び雌信号端子１２１〜１２４のインピーダンス整合について説明する。
【００９９】
板部１１４−１ｂ，１１４−１ｃ，１１４−２ｂ，１１４−２ｃ，及び耳部１１４−１ｄ，１１４−１ｅ，１１４−２ｄ，１１４−２ｅの電位は、共にグランドレベルとなっている。
【０１００】
第１列を構成し、嵌合し合っている雄導体端子１０６−１と雌導体端子１２１に対しては、Ｘ方向上両側から板部１１４−１ｂ，１１４−２ｂが近接して且つ等距離で対向しており、且つＹ方向上一方側から耳部１１４−１ｄが対向しており、距離は遠いけれども他方側から耳部１１４−２ｅが対向しており、これらによってストリップライン構造が形成されている。
【０１０１】
第２列を構成し、嵌合し合っている雄導体端子１０６−２と雌導体端子１２２に対しては、Ｘ方向上両側から板部１１４−１ｂ及び１１４−２ｂが近接して且つ等距離で対向しており、且つＹ方向上両側より遠く離れているけれども耳部１１４−１ｄ，１１４−２ｅが対向しており、これらによってストリップライン構造が形成されている。
【０１０２】
第３列を構成する雄導体端子１０６−３及び雌導体端子１２３についても、また第４列を構成する雄導体端子１０６−４及び雌導体端子１２４についても、上記と同様にストリップライン構造が形成される。
【０１０３】
また個々の雄導体１１４−１と雌導体１２５とは、▲１▼、▲２▼、▲３▼、▲４▼の４個所で接触している。しかも、板部１１４−１ｂ，１１４−１ｃの幅方向上両側の個所で接触している。このため、雄導体１１４−１と雌導体１２５との間の接触抵抗は小さい。
【０１０４】
これらにより、上記の電気コネクタ１００は、２８０ピン全部について、インピーダンスが５０Ω近くに集中している安定した特性を有し、２８０ピン全部についてインピーダンスが良好に整合されている。
【０１０５】
また、各端子間のクロストークが小さい。
【０１０６】
次に、ＥＭＩ対策構造について説明する。
【０１０７】
図１０に示すように、耳部１１４−１ｄ，１１４−２ｄ，１１４−１ｅ，１１４−２ｅが略連結して、周側壁１０５ｂ−１，１０５ｂ−２の内壁に沿って並んでいる。
【０１０８】
この並んでいる耳部１１４−１ｄ，１１４−２ｄ，１１４−１ｅ，１１４−２ｅが、外部からの電磁波がコネクタ１００内に侵入することを防止する。
【０１０９】
なお、上記実施例は雄信号端子が４列７０行に配された構成であるが、列の数及び行の数は、上記に限らない。
【０１１０】
【発明の効果】
以上説明したように、請求項１の発明によれば、雌信号端子はプラグコネクタの雄信号端子に行の方向から接触し、雌導体端子もプラグコネクタの雄導体に行の方向から接触する構成であるため、雌信号端子及び雌導体端子が夫々雄信号端子及び雄信号端子に夫々列の方向から接触するようにした構成に比べて、列の方向であるジャックコネクタの長手方向の寸法を短く構成出来る。
【０１１１】
請求項２の発明によれば、雌信号端子は、前記プラグコネクタの雄信号端子の側面のうち行の方向と直交する側の面と接触し、前記雌導体端子は、前記プラグコネクタの板状の雄導体の行の方向と直交する側の面であって、該板状の雄導体の板面と直交する側面と接触する構成としたため、雌信号端子及び雌導体端子が夫々雄信号端子及び雄信号端子に夫々列の方向から接触するようにした構成に比べて、列の方向であるジャックコネクタの長手方向の寸法を短く構成出来る。
【図面の簡単な説明】
【図１】本発明の原理構成図である。
【図２】本発明のジャックコネクタを有するインピーダンス整合型電気コネクタを示す図である。
【図３】図２中、ＩＩＩ−ＩＩＩ線に沿う断面図である。
【図４】図２中ＩＶ−ＩＶ線に沿う断面図である。
【図５】プラグコネクタ部材の拡大平面図である。
【図６】雄導体を示す図である。
【図７】雄信号端子の接続状態を示す図である。
【図８】雄導体の接続状態を示す図である。
【図９】プラグコネクタ部材が接続された状態における、図２中、ＩＸ−ＩＸ線に沿う断面図である。
【図１０】インピーダンス整合を説明する図である。
【図１１】従来のインピーダンス整合型電気コネクタの１例を示す図である。
【図１２】図１１中のプラグコネクタ部材を示す図である。
【図１３】図１１中のジャックコネクタ部材を示す図である。
【図１４】図１１の電気コネクタのインピーダンス整合を説明する図である。
【図１５】図１１の従来例の基本構造を踏襲して４列とした構造を示す図である。
【符号の説明】
４０  インピーダンス整合型電気コネクタ
４１，１０２  プラグコネクタ部材
４２，１０４  ジャックコネクタ部材
４４  雄信号端子
４５〜４８  第１〜第４列の雄信号端子群
５０〜５４  第１〜第５行の雄信号端子群
６０〜６４，１１４  雄導体
７０，ジャックハウジング
７１  雌信号端子
７２  雌導体端子
１００  インピーダンス整合型電気コネクタ
１０１  ＣＰＵボード
１０３  マザーボード
１０４  プラグハウジング
１０５ａ  ベース部
１０５ｂ−１〜１０５ｂ−２  周側壁
１０５ｃ  凹部
１０５ｄ  貫通孔
１０５ｅ，１２０ｃ  スリット
１０５ｆ−１，１０５ｆ−２  溝
１０６  雄信号端子
１０６ｂ  信号用リード端部
１０７  第１の列
１０８  第２の列
１０９  第３の列
１１０  第４の列
１１１  第１の行
１１２  第２の行
１１３  第３の行
１１４ａ  本体部
１４ｂ，１１４ｃ  板部
１１４ｄ，１１４ｅ  耳部
１１４ｆ，１１４ｇ  グランド用リード端部
１２０  ジャックハウジング
１２０ａ  嵌合部
１２０ｂ  孔行
１２０ｄ〜１２０ｇ  孔
１２０ｈ  仕切り壁
１２１〜１２４  雌信号端子
１２５  雌導体端子
１２５ａ，１２５ｂ  フォーク状端子部
１２５ｃ  グランド用端子部
【図１】
0003553561.tif 000002
【図２】
0003553561.tif 000003
【図３】
0003553561.tif 000004
【図４】
0003553561.tif 000005
【図５】
0003553561.tif 000006
【図６】
0003553561.tif 000007
【図７】
0003553561.tif 000008
【図８】
0003553561.tif 000009
【図９】
0003553561.tif 000010
【図１０】
0003553561.tif 000011
【図１１】
0003553561.tif 000012
【図１２】
0003553561.tif 000013
【図１３】
0003553561.tif 000014
【図１４】
0003553561.tif 000015
【図１５】
0003553561.tif 000016